(57)【要約】【課題】画像形成処理を要求した携帯端末装置に対して、その携帯端末装置の近辺に存在する画像形成装置を判り易く提示し得る画像形成処理システムを提供する。【解決手段】サーバ装置は、モバイル端末装置から印刷用デバイスの検索要求がなされると、当該モバイル端末装置の現在位置の近くに存在する印刷用デバイスを検索し、当該モバイル端末装置の現在位置を中心とする地図画像に対して、検索に係る印刷用デバイスの種類に対応するアイコンであってステータス情報が反映されたアイコンを当該印刷用デバイスの所在位置に配置すると共に、当該モバイル端末装置用のアイコンもその現在位置に配置し、その地図画像をＷｅｂページとして公開する。【選択図】      図１３
2004234218.tif 000002
【特許請求の範囲】
【請求項１】
サーバ装置と無線を介して通信可能な携帯端末装置から送信されたデータに基づいて画像形成装置により画像を形成する画像形成処理システムであって、前記サーバ装置は、
前記携帯端末装置からの要求に応じて、当該携帯端末装置の近辺に存在するネットワーク上の画像形成装置を検索する検索手段と、
前記検索手段により見つけられた画像形成装置の所在位置を示した地図画像を表示するための前記携帯端末により閲覧可能なデータを生成する生成手段と、
前記生成手段により生成されたデータを識別するための識別情報を前記携帯端末に対して通知する通知手段と、
前記識別情報が示すデータへのアクセス要求に対応して、前記生成手段により生成されたデータを前記携帯端末装置に向けて送信する送信手段とを有し、
前記地図画像の中で示されている画像形成装置の中から前記携帯端末装置において指定された画像形成装置により画像が形成されることを特徴とする画像形成処理システム。
【発明の詳細な説明】
【０００１】
【発明の属する技術分野】
本発明は、ネットワークを介して携帯端末装置から送信されたデータに基づいて画像形成装置により画像を形成する画像形成処理システムに関し、特に、画像形成処理を実行させる画像形成装置を検索し、その検索結果を提示する技術に関する。
【０００２】
【従来の技術】
近年、テキスト情報だけではなく画像情報を表示する機能を搭載した携帯電話等の携帯端末装置が実現されている。また、これらの携帯端末装置は、インターネットへの接続や、電子メールなどを利用することができるので、携帯端末装置により取得して表示した情報をネットワーク上のプリント装置で印刷することが要望されている。
【０００３】
従来、例えば、ディレクトリサービスで管理されているネットワーク上の各種の資源（プリンタ、サーバ、スキャナ等、以下、「デバイス」とも言う）を効率的に検索するために、ＬＤＡＰ（Ｌｉｇｈｔｗｅｉｇｈｔ  Ｄｉｒｅｃｔｏｒｙ
Ａｃｃｅｓｓ  Ｐｒｏｔｏｃｏｌ）等のプロトコルが提供されている。
【０００４】
このこのディレクトリサービスとは、所謂ネットワークに関する電話帳の機能を果たすものであり、ネットワークに接続されているデバイスを検索し、それらデバイスのネットワークアドレスの一覧を提供するものである。なお、上記ＬＤＡＰの規定については、ＩＥＴＦ（Ｉｎｔｅｒｎｅｔ  ＥｎｇｉｎｅｅｒｉｎｇＴａｓｋ  Ｆｏｒｃｅ）から発行されている「ＲＦＣ（Ｒｅｑｕｅｓｔ  ｆｏｒ  Ｃｏｍｍｅｎｔｓ）１７７７」（非特許文献１）等に記載されている。
【０００５】
【非特許文献１】
「ＲＦＣ（Ｒｅｑｕｅｓｔ  ｆｏｒ  Ｃｏｍｍｅｎｔｓ）１７７７」、ＩＥＴＦ発行
【０００６】
【発明が解決しようとする課題】
しかしながら、上述のＬＤＡＰ等の検索プロトコルは、例えばＥｔｈｅｒｎｅｔ（登録商標）などのＬＡＮ環境などで使用されることを前提としており、携帯電話などの携帯端末装置で使用されることを想定されていなかった。
【０００７】
また、ＬＤＡＰ等を使用したディレクトリサービスで検索されたデバイスのネットワークアドレスの一覧リストでは、所望するデバイスの所在位置を判り易いかたちで得ることができなかった。例えば、所望するデバイスがネットワークプリンタである場合、「自分のフロアにおいて、自分の場所に一番近いプリンタは何処に在るのか」、或いは「カラー画像を出力できるプリンタは、その建物の中の何処に在るのか」等のように、ネットワーク上のデバイスの階層的なロケーション情報を判り易く提示することができなかった。
【０００８】
また、印刷等の実行（ジョブ）をネットワークプリンタへ依頼した場合に、「何処のプリンタで印刷が行なわれたか」、或いは「自分が依頼した印刷が正常に終了したか否か」、或いは「ジャムや用紙切れ等のエラーが発生していないか」等といった情報を判り易く提示することができなかった。
【０００９】
さらに、「デバイスが現在どのような状態（稼働状態、エラー発生状態等）にあるか」等といった情報についても、判り易く提示することができなかった。
【００１０】
本発明は、このような背景の下になされたもので、その課題は、画像形成処理を要求した携帯端末装置に対して、その携帯端末装置の近辺に存在する画像形成装置を判り易く提示し得る画像形成処理システムを提供することにある。
【００１１】
【課題を解決するための手段】
上記課題を解決するため、本発明は、サーバ装置と無線を介して通信可能な携帯端末装置から送信されたデータに基づいて画像形成装置により画像を形成する画像形成処理システムであって、前記サーバ装置は、前記携帯端末装置からの要求に応じて、当該携帯端末装置の近辺に存在するネットワーク上の画像形成装置を検索する検索手段と、前記検索手段により見つけられた画像形成装置の所在位置を示した地図画像を表示するための前記携帯端末により閲覧可能なデータを生成する生成手段と、前記生成手段により生成されたデータを識別するための識別情報を前記携帯端末に対して通知する通知手段と、前記識別情報が示すデータへのアクセス要求に対応して、前記生成手段により生成されたデータを前記携帯端末装置に向けて送信する送信手段とを有し、前記地図画像の中で示されている画像形成装置の中から前記携帯端末装置において指定された画像形成装置により画像が形成されるように構成されている。
【００１２】
【発明の実施の形態】
［第１の実施の形態］
本発明に係る印刷システムは、例えば、図１に示すようなインターネット１０３を用いた通信システムに適用される。このインターネット１０３には、携帯端末装置としての携帯電話１０２、サーバ装置１０１、及びカラープリンタ１０４、カラーコピー機能とプリンタ機能を共に兼ね備えたカラーＭＦＰ（Ｍｕｌｔ  Ｆｕｎｃｔｉｏｎ  Ｐｅｒｉｐｈｅｒａｌ）１０５、モノクロプリンタ１０６等の画像形成装置（以下、デバイスとも言う）が接続され、互いに通信可能となっている。
【００１３】
携帯電話１０２は、サーバ装置１０１に対してインターネット１０３上の画像形成装置１０４〜１０６を検索するように要求すると共に、その検索結果を表示するように構成されている。また、携帯電話１０２は、ＧＰＳ（Ｇｌｏｂａｌ  Ｐｏｓｉｔｉｏｎｉｎｇ  Ｓｙｓｔｅｍ）、及びＷｅｂブラウザを搭載している。
【００１４】
サーバ装置１０１は、Ｗｅｂサーバとして機能し、携帯電話１０２からの要求に応じて画像形成装置１０４〜１０６に関する情報を取得すると共に、取得した情報を後述する地図画像上に配置して、インターネット１０３上に公開する。
【００１５】
サーバ装置１０１のハードウェアは、例えば図２に示すように構成されている。サーバ装置１０１は、本装置全体の動作制御を司るＣＰＵ２０２、ＣＰＵ２０２での動作制御のための各種プログラムやデータなどが格納されるＲＯＭ２０３、ＣＰＵ２０２の主メモリや作業エリアとして利用されるＲＡＭ２０４、マウス（ＭＳ）２１４、マウス（ＭＳ）２１４からの指示入力を制御するマウスコントローラ（ＭＣ）２１３、キーボード（ＫＢ）２０９、キーボード（ＫＢ）２０９やポインティングデバイス（図示せず）からの指示入力を制御するキーボードコントローラ（ＫＢＣ）２０５、ＣＲＴディスプレイ２１０、ＣＲＴディスプレイ２１０での表示を制御するＣＲＴコントローラ（ＣＲＴＣ）２０６を有している。
【００１６】
また、各種プログラムやデータ（ブートプログラム、種々のアプリケーション、地図データベース、デバイスデータベース、編集ファイル、ユーザファイル、ネットワーク管理プログラム等）を記憶するためのハードディスクドライブ（ＨＤＤ）２１１及びフロッピー（登録商標）ディスクドライブ（ＦＤＤ）２１２に対するアクセスを制御するディスクコントローラ（ＤＫＣ）２０７、ＬＡＮ１５０を介して画像形成装置１０４〜１０６や他のパーソナルコンピュータ或いはインターネット１０３（上記図１参照）と双方向にデータを授受するためのネットワークインターフェースカード（ＮＩＣ）２０８を有している。これらの各構成部は、システムバス２０１を介して互いに通信可能に接続されている。
【００１７】
サーバ装置１０１の上述の機能を実現するための検索ソフトウェアは、ＲＯＭ２０３又はハードディスクドライブ（ＨＤＤ）２１１、或いはフロッピー（登録商標）ディスクドライブ２１２のＦＤに予め格納されている。また、ＲＯＭ２０３又はハードディスクドライブ（ＨＤＤ）２１１、或いはフロッピー（登録商標）ディスクドライブ２１２のＦＤには、デバイスを示す後述のデバイスアイコン、及び当該デバイスの各種のステータスを示すメージデータも格納されている。
【００１８】
各画像形成装置（カラープリンタ１０４、カラーＭＦＰ１０５、モノクロプリンタ１０６）の主なハードウェア構成は同様であり、例えば、図３に示すように、本装置全体の動作制御を司るＣＰＵ２３０２、ＣＰＵ２３０２での動作制御のための各種プログラムやデータ等が格納されるＲＯＭ２３０３、ＣＰＵ２３０２の主メモリや作業用エリア等として利用されるＲＡＭ２３０４、画像形成動作を行うエンジン２３０９、エンジン２３０９の駆動を制御するエンジンコントローラ（ＥＣ）２３０５、ユーザから各種操作指示を受け付けたり種々の情報を表示するパネル（ＰＡＮＥＬ）２３１０、パネル（ＰＡＮＥＬ）２３１０での入出力をコントロールしたりパネル（ＰＡＮＥＬ）２３１０を管理するパネルコントローラ（ＰＣ）２３０６、ハードディスクドライブ（ＨＤＤ）２２１１、ハードディスクドライブ（ＨＤＤ）２２１１とのアクセスを制御するディスクコントローラ（ＤＫＣ）２３０７、不揮発性ＲＡＭ（ＮＶＲＡＭ）２３１２、ＬＡＮ１５０を介してサーバ装置１０１や携帯電話１０２（図１参照）と双方向にデータを授受するためのネットワークインターフェースカート（ＮＩＣ）２３０８を有しており、これらの各構成部は、システムバス２３０１を介して互いに通信可能なように接続されている。
【００１９】
なお、各画像形成装置（カラープリンタ１０４、カラーＭＦＰ１０５、モノクロプリンタ１０６）では、図３に示したエンジン２３０９が異なっており、例えば、カラープリンタ１０４では、エンジン２３０９は、ＬＢＰ（レーザ・ビーム・プリンタ）エンジンとなる。また、画像形成装置１０４〜１０６及びサーバ装置１０１は、それぞれファイアウォール１２０を介してインターネット１０３に接続されている。
【００２０】
本実施形態では、このようなハードウェア構成の下で、サーバ装置１０１は、携帯電話１０２からの要求に応じて、その携帯電話１０２の近くに存在する画像形成装置１０４〜１０６を検索し、検索した画像形成装置１０４〜１０６を示すデバイスアイコンを地図上に配置したＷｅｂページ（コンテンツ）を作成する。
このデバイスアイコンは、上記の地図において当該デバイスの存在する位置に配置され、また、現在のステータスに応じた形態で表示される。
【００２１】
携帯電話１０２は、サーバ装置１０１により作成された上記のＷｅｂページをアクセスして、当該携帯電話１０２の表示部に表示する。
【００２２】
このような機能を実現するため、サーバ装置１０１、携帯電話１０２、デバイス１０４〜１０６は、夫々、図４に示したようなソフトウェアを搭載している。
【００２３】
図４に示したように、携帯電話１０２は、検索要求モジュール２１及び表示モジュール２２を有している。検索要求モジュール２１は、サーバ装置１０１へ所望のデバイス検索条件を送信し、その検索結果（上記のＷｅｂページ）を受信して表示する。この際、検索要求モジュール２１は、サーバ装置１０から所定のＵＲＬ（本実施形態では、後述するようにＵＲＩ）を受信し、そのＵＲＬで示されるＷｅｂページにアクセスすることによって、検索結果を表示する。
【００２４】
サーバ装置１０１は、インターネット１０３上のデバイス１０４〜１０６の属性情報を管理するデータベース１１を有し、ディレクトリサーバとしても機能する。データベース１１には、インターネット１０３上のデバイス１０４〜１０６の識別情報、及びデバイス１０４〜１０６の属性情報が収集されて登録され、地図イメージデータも格納されている。
【００２５】
また、サーバ装置１０１は、検索モジュール１２及び属性登録モジュール１３を有している。検索モジュール１２は、携帯電話１０２から受信したデバイス検索条件（位置情報等）に基づいて、データベース１１から検索条件に合致するデバイスを検索し、その検索結果を地図画像に係るＷｅｂページとしてインターネット１０３上に公開すると共に、そのＷｅｂページのＵＲＬ）を携帯電話１０２に通知する。また、検索モジュール１２は、通知したＵＲＬに基づいてアクセスされたＷｅｂページを携帯電話１０２に送信する。これらＵＲＬ、Ｗｅｂページは、表示モジュール２２により携帯電話１０２の表示部（図示省略）に表示される。
【００２６】
属性登録モジュール１３は、デバイス１０４〜１０６等からデバイス属性を収集して、データベース１１に登録する。
【００２７】
デバイス１０４〜１０６は、携帯電話１０２から要求されたデータを印刷するネットワークプリンタとして機能し、属性・ステータス送信モジュール３１を有している。この属性・ステータス送信モジュール３１は、デバイス１０４〜１０６自身の属性情報、及びステータス情報をサーバ装置１０１に送信する。
【００２８】
なお、図１、図４では、１つの携帯電話１０２、及びサーバ装置１０１、３つのデバイス１０４〜１０６がインターネット１０３に接続された構成を示しているが、より多数の携帯電話、サーバ装置、デバイスが接続されていてもよい。また、携帯端末装置としては、ＧＰＳ、すなわち自己の現在位置を検知する装置、及びＷｅｂブラウザを搭載したものであれば、携帯電話以外の携帯端末装置を用いることも可能である。さらに、携帯端末装置、サーバ装置、デバイスは、同一のＬＡＮに接続されている必要はなく、互いに異なるＬＡＮに接続されていても、或いはＬＡＮを介することなく直接インターネットに接続されていてもよい。また、インターネット以外のネットワークを利用したシステムに適用することも可能である。
【００２９】
サーバ装置１０１のデータベース１１に登録されるデバイスの属性としては、図５に示したようなデバイスの所在位置情報がある。
【００３０】
図５に示したように、各デバイスの所在位置情報は、階層的に構成されている。図５では、デバイス名「ＣＰ２１２０−２１５０」で示されるカラーＭＦＰ１０５の位置情報は、神奈川県（３０１）、横浜市（３０２）、ＡＡ区（３０３）、ＢＢ町５−８−１（３０４）、ＣＣビル１Ｆ（３０５）、Ｘ＝ＦＥ３０、Ｙ＝４７Ｂ２（３０６）として構成されている。なお、３０６は地図イメージデータ上での座標を示すものである。
【００３１】
また、本実施形態では、上記のデバイス名により各デバイスの識別とデバイスの機能（カラープリンタ、モノクロプリンタ、レーザプリンタ）の識別を行うことを想定しているが、これらの識別情報を個別に設定することも可能である。
【００３２】
本実施形態では、図５のような所在位置情報によりインターネット１０３上のデバイスの所在位置を管理することで、ユーザが所望するデバイスのアイコンを地図上の対応する位置に表示するようにしている。
【００３３】
図５のような所在位置情報は、前述のように、サーバ装置１０１が各デバイス１０４〜１０６から収集してデータバース１１に登録するものであり、各デバイス１０４〜１０６では、図６のフォーマットで自己の所在位置情報を保存している。
【００３４】
すなわち、各デバイス１０４〜１０６は、図５に示したデバイス名、階層的な所在位置情報（住所：Ｌｏｃａｔｉｏｎ情報）、及び地図イメージデータ上での座標情報に対応する情報９０１〜９０７の他に、インターネット１０３上でのＩＰアドレス９０８、当該デバイスのＵＲＩ（Ｕｎｉｆｏｒｍ  ＲｅｓｏｕｒｃｅＩｄｅｎｔｉｆｉｅｒ）９０９を含んでいる。また、Ｌｏｃａｔｉｏｎ情報は、５階層（９０２〜９０６）で構成されている。
【００３５】
サーバ装置１０１は、図６に示した全ての情報を各デバイス１０４〜１０６から収集してデータバース１１に登録するので、実際には、サーバ装置１０１のデータバース１１には、図７に示すような形式で、各デバイス１０４〜１０６の所在位置情報が登録されることとなる。
【００３６】
なお、図７に示した所在位置情報の他に、例えば、ステープル機能の有無、両面印刷機能の有無を示す属性情報等、デバイスが一般に備えている属性情報をデータバース１１に登録し、これら属性を検索条件として携帯電話１０２から指定できるようにすることも可能である。
【００３７】
次に、各デバイス１０４〜１０６を示すデバイスアイコンについて説明する。
【００３８】
サーバ装置１０１は、各デバイス１０４〜１０６毎に、各デバイスで発生し得る各種のイベント（ステータス）に対応するアイコン情報（ビットマップデータ、イメージデータ）を、ハードディスク２１１に保持している。
【００３９】
例えば、カラーＭＦＰ１０５に関しては、図８に示すような稼働可能状態（ｒｅａｄｙ）であることを示すためのアイコン情報、紙切れ状態（ｎｏｐａｐｅｒ）であることを示すためのアイコン情報、及びジャム発生状態（ｐａｐｅｒｊａｍｍｅｄ）であることを示すためのアイコン情報を保持している。また、モノクロプリンタ１０６に関しては、図９に示すような稼働可能状態（ｒｅａｄｙ）であることを示すためのアイコン情報、紙切れ状態（ｎｏｐａｐｅｒ）であることを示すためのアイコン情報、及びジャム発生状態（ｐａｐｅｒｊａｍｍｅｄ）であることを示すためのアイコン情報を保持している。
【００４０】
なお、図８、図９には、デバイスを示すアイコン（装置形状を示すイメージデータ）と、ステータスを示すアイコン（丸印の中に斜線を入れたイメージデータ）及びキャラクタ（イメージデータ）とが合成された状態で示されているが、本実施形態では、実際には、デバイスを示すアイコンとステータスを示すアイコン及びキャラクタとは、別々に記憶されており、使用するデバイス、及びそのステータスが確定した後に対応するアイコン同士を合成することにより、メモリ容量を可及的に低減するように構成されている。
【００４１】
また、デバイス１０４〜１０６のステータスを示すアイコンとしては、図８、図９に示したようなアイコンに限られることはなく、例えば、デバイスが使用中であることを示すアイコンやデバイス内のハードディスク等における読込／書込エラー発生を示すアイコン、また、デバイスがＦＡＸである場合には、送信中／受信中であることを示すアイコンを保持してもよい。さらに、認証エラー発生を示すアイコンを保持して地図上に表示することにより、ユーザに認証エラー発生を認識させて不正侵入等を防止するようにしてもよい。
【００４２】
また、デバイスを示すアイコンと、ステータスを示すアイコン及びキャラクタとを予め合成したデバイスアイコンを最初から保持することも可能である。
【００４３】
なお、各デバイスのデバイスアイコンは、図８、図９から推測できるように、当該デバイスの種類や機能（例えば、カラー印刷機、モノクロ印刷機、複合機、印刷専用機、複写機）を識別する識別機能を発揮させることを意図したものである。
【００４４】
次に、携帯電話１０２による検索要求処理を説明する。
【００４５】
図１０は、携帯電話１０２の表示部に示されるＧＵＩ（Ｇｒａｐｈｉｃａｌ  Ｕｓｅｒ  Ｉｎｔｅｒｆａｃｅ）画面であり、印刷を実行させるデバイスの指定方法を選択するためのＧＵＩ画面を示している。このＧＵＩ画面は携帯電話１０２に搭載された検索要求モジュール２１に係るプログラムが実行されることにより表示される。
【００４６】
検索要求モジュール２１が実行されると、印刷に使用するデバイスの指定方法をユーザに質問する図１０の画面が表示される。ここで、デバイスの指定方法としては、近辺のデバイスを検索して指定する方法＝「▲１▼  近辺のプリンタを検索」と、予め携帯電話１０２に登録されているデバイスを指定する方法＝「▲２▼  プリンタを指定」と、の２つがある。ユーザは、携帯電話１０２の操作部を使用して、２つの指定方法のうちから１つを選択する。
【００４７】
ここで、ユーザが「▲２▼  プリンタを指定」を選択した場合、検索要求モジュール２１は、携帯電話１０２内に登録されたデバイスの宛先情報に基づいて、印刷Ｊｏｂを送信する。このデバイスの宛先情報とは、例えばＩＰアドレスである。携帯電話１０２は、インターネット１０３に接続可能であるので、ＩＰＰ（Ｉｎｔｅｒｎｅｔ  Ｐｒｉｎｔｉｎｇ  Ｐｒｏｔｏｃｏｌ）などが印刷プロトコルとして使用される。
【００４８】
ユーザが「▲１▼  近辺のプリンタを検索」を選択した場合、検索探索モジュール２１は、サーバ装置１０１に対して、当該携帯電話１０２の現在位置情報と共に、デバイス検索要求信号を送信する。このデバイス検索要求信号には、図１１に示したように、携帯電話１０２を識別するための機器ＩＤ、この通信がデバイスの検索を要求するものであることを示すオペレーションＩＤ、携帯電話１０２の位置情報、ＪｏｂＩＤ、携帯電話１０２のＩＰアドレスにより構成されている。
【００４９】
携帯電話１０２を識別するための機器ＩＤとしては、例えば電話番号などが使用される。携帯電話以外のモバイル装置の場合は、例えばネットワークカードのＭＡＣアドレスなどを使用することが考えられる。また、ＪｏｂＩＤは、携帯電話１０２の中で管理されるＩＤであり、１つの印刷Ｊｏｂに対して１つのＪｏｂＩＤが割り当てられる。
【００５０】
サーバ装置１０１は、機器ＩＤによって携帯端末装置１０２を識別し、ＪｏｂＩＤによって印刷Ｊｏｂを識別する。携帯電話１０２のＩＰアドレスは、サーバ装置１０１が携帯電話１０２にパケットを送信する際の宛先として使用される。
【００５１】
サーバ装置１０１は、このようなデバイス検索要求信号、及び携帯電話１０２の現在位置情報を受信すると、まず、それら受信信号・情報をオペレーションテーブルに記憶し、オペレーションＩＤを確認する。オペレーションＩＤがデバイスの検索要求であった場合、サーバ装置１０１は、次のようにして、携帯電話１０２の近辺に存在するデバイスをデータベース１１（その内容は、図７参照）から検索する。
【００５２】
すなわち、サーバ装置１０１は、まず、地図イメージデータを使用して、受信した携帯電話１０の現在位置情報を５階層からなるＬｏｃａｔｉｏｎ情報に変換する。次に、サーバ装置１０１は、変換した携帯電話１０２のＬｏｃａｔｉｏｎ情報と、データベース１１に登録されているデバイスのＬｏｃａｔｉｏｎ情報とを下位層から照合していくことにより、携帯電話１０２の近辺に存在するデバイス１０４〜１０６を検索する。
【００５３】
次に、サーバ装置１０１は、携帯電話１０２の近辺に存在する検索に係るデバイス１０４〜１０６のステータス情報を当該デバイス１０４〜１０６から取得する。この場合、サーバ装置１０１と各デバイス１０４〜１０６は、インターネット１０３によって接続されているので、各デバイス１０４〜１０６のステータス情報は、ＩＰＰ（Ｉｎｔｅｒｎｅｔ  Ｐｒｉｎｔｉｎｇ  Ｐｒｏｔｏｃｏｌ）によって取得される。
【００５４】
すなわち、サーバ装置１０１は、検索したデバイスのＵＲＩを図７に示したデータベース上で参照し、検索したデバイスに対してＩＰＰのオペレーションであるＧｅｔ−ｐｒｉｎｔｅｒ−Ａｔｔｒｉｂｕｔｅｓオペレーションを発行する。
デバイスは、Ｇｅｔ−ｐｒｉｎｔｅｒ−Ａｔｔｒｉｂｕｔｅｓオペレーションに対するレスポンス信号をサーバ装置１０１に返信する。サーバ装置１０１は、返信されたレスポンス信号中のデバイスのＰｒｉｎｔｅｒ−Ａｔｔｒｉｂｕｔｅｓ、特にＰｒｉｎｔｅｒ−ｓｔａｔｅ−ｒｅａｓｏｎｓを参照することで、検索に係るデバイスのステータスを確認する。
【００５５】
その後、サーバ装置１０１は、検索されたデバイスのステータスに対応するアイコン（イメージデータ）を選択し、当該デバイスを示すデバイスアイコンと合成する。例えば、携帯電話１０２の現在位置の近傍に存在するデバイスとしてカラーＭＦＰ１０５が検索され、そのカラーＭＦＰ１０５の現在のステータスが「ＮｏＰａｐｅｒ」であった場合、サーバ装置１０１は、図８に示した「ＮｏＰａｐｅｒ」に対応するステータスアイコンを選択し、カラーＭＦＰ１０５のデバイスアイコンと合成する。
【００５６】
次に、サーバ装置１０１は、合成に係るデバイスアイコンを地図上に配置する。この際、サーバ装置１０１は、まず、携帯電話１０２の現在位置を中心とする地図イメージデータをデータベース１１から切り出し、携帯電話１０２を示すアイコン（図１２の符号１２００参照）を、切り出した地図イメージデータの中心に配置する。
【００５７】
次に、サーバ装置１０１は、図１３に示したように、検索した各デバイスの位置情報（Ｘ、Ｙ座標）に基づいて、上記の合成に係るデバイスアイコンアイコンを地図イメージデータ上の対応する位置に配置する（図１３の符号１２０１、１２０２、１２０３参照）。そして、ＨＴＭＬ（ＨｙｐｅｒＴｅｘｔ  Ｍａｒｋｕｐ  Ｌａｎｇｕａｇｅ）やＸＭＬ（ｅＸｔｅｎｓｉｂｌｅ  Ｍａｒｋｕｐ  Ｌａｎｇｕａｇｅ）を使用することにより、合成したアイコン情報を配置した地図イメージデータに基づいてＷｅｂページ（ファイル）を生成し、インターネット１０３上に公開すると共に、Ｗｅｂページ（ファイル）のＵＲＩを携帯電話１０２に通知する。
【００５８】
そこで、ユーザは、携帯電話１０２により、通知に係るＵＲＩを用いて、Ｗｅｂページにアクセスして表示させ、Ｗｅｂページ上の所望のデバイスのデバイスアイコンを選択する。この選択は、例えばカーソルで所望のデバイスのデバイスアイコン指定してクリックすることにより行う。
【００５９】
ユーザが所望のデバイスアイコンを選択すると、印刷Ｊｏｂが携帯電話１０２からサーバ装置１０１に送られ、サーバ装置１０１は、印刷Ｊｏｂを対応するデバイスに送信する。
【００６０】
なお、サーバ装置１０１は、Ｗｅｂページを生成する場合、デバイスアイコンをリンク情報として埋め込むことにより、上記の印刷ｊｏｂを選択に係るデバイスアイコンに対応するデバイスに送信できるようにする。
【００６１】
すなわち、サーバ装置１０１は、データベース１１から検索したデバイス１０４〜１０６と、Ｗｅｂページ上に配置されるデバイスアイコン１２０１〜１２０３のリンクのＵＲＩを対応させるため、図１４に示したようなデバイスＵＲＩ管理テーブルを有している。
【００６２】
このデバイスＵＲＩ管理テーブルは、デバイスの検索が行われる毎に動的に生成されるものであり、図７に示したデータベースにおけるＩＰアドレスと、ＵＲＩを識別するためのＵＲＩ−ＩＤとが１対１に対応づけて登録されている。ここで、ＩＰアドレスは、データベース１１に登録されているデバイスを識別するための識別ＩＤとして使用される。図１４では、携帯電話１０２の周辺に存在するデバイス１０４〜１０６に対応するＩＰアドレス１３０１〜１３０３が登録され、ＩＰアドレス１３０１〜１３０３に対応するＵＲＩ−ＩＤとして１３１１〜１３１３が登録されている。
【００６３】
ここで、ＷｅｂページのＵＲＩは、図１５に示したように、
ｈｔｔｐ：／／１７２．２２．４．２００／０９０ｘｘｘｘ＊＊＊＊／９Ｆ３２Ｂ６／ＴＯＰ．ＨＴＭＬ
である。
【００６４】
「ｈｔｔｐ：／／」は、通信プロトコルにＨＴＴＰが使用されることを表したスキーマ部分であり、「１７２．２２．４．２００」は、サーバ装置１０１のＩＰアドレスである。「０９０ｘｘｘｘ＊＊＊＊」は、携帯電話１０２の機器ＩＤ、すなわち携帯電話１０２の電話番号である。「９Ｆ３２Ｂ６」は、サーバ装置１０１の本検索作業のＪｏｂＩＤを示すものである。「ＴＯＰ．ＨＴＭＬ」は、検索ＭＡＰイメージのＷｅｂサイト１２００のファイル名である。ＨＴＭＬは、このファイルがＨＴＭＬで記述されていることを示す。
【００６５】
図１３に示したアイコン１２０１〜１２０３のＵＲＩは、図１４のデバイスＵＲＩ管理テーブルでは、ＵＲＩ−ＩＤとして登録されており、その実際のＵＲＩは、それぞれ、図１５の１５０２〜１５０４に示される。
【００６６】
例えば、カラーＭＦＰ１０５を表すアイコン１２０２のＵＲＩ−ＩＤは「０００２」であるが、そのＵＲＩ１５０３は、以下の値で示される。
【００６７】
ｈｔｔｐ：／／１７２．２２．４．２００／０９０ｘｘｘｘ＊＊＊＊／９Ｆ３２Ｂ６／０００２．ｇｉｆ
また、カラーＬＢＰ１０４のＵＲＩは１５０２、モノクロＬＢＰ１０６のＵＲＩは１５０４で示される。
【００６８】
携帯電話１０２のユーザが地図上に表示されたデバイスアイコンを選択すると、サーバ装置１０１は、デバイスＵＲＩ管理テーブルを参照し、選択されたデバイスアイコンのＵＲＩ−ＩＤに対応するデバイスのＩＰアドレスを読み出す。次に、サーバ装置１０１は、携帯電話１０２に対して印刷Ｊｏｂ要求パケットを送信する。この印刷Ｊｏｂ要求パケットは、図１６に示したように構成されている。
【００６９】
図１６に示した印刷Ｊｏｂ要求パケット中の機器ＩＤは、携帯電話１０２を識別するためのＩＤであり、携帯電話１０２がサーバ装置１０１に対して送ったパケットの機器ＩＤ（図１１参照）と同値である。また、オペレーションＩＤは、サーバ装置１０１が携帯電話１０２に対して要求するオペレーション（ここでは、印刷Ｊｏｂ要求）のＩＤを示したものである。ＪｏｂＩＤは、本パケットが、携帯電話１０２が送ったどのオペレーションに対応するものであるかを示すものであり、ここでは、携帯電話１０２が送ったデバイス検索要求に対するレスポンスであるので、デバイス検索要求時のＪｏｂＩＤ（図１１参照）と同値となる。
また、ＩＰアドレスは、サーバ装置１０１のＩＰアドレスである。
【００７０】
携帯電話１０２は、印刷Ｊｏｂ要求パケットを受信すると、印刷Ｊｏｂをサーバ装置１０１に送信する。なお、データの送信は、ＨＴＴＰを使用するが、例えばサーバ装置１０１がＦＴＰサーバとして動作する場合は、ＦＴＰを使用することも可能である。
【００７１】
サーバ装置１０１は、受信した印刷Ｊｏｂを先にデバイスＵＲＩ管理テーブルから読み出したＩＰアドレスを用いて、当該ＩＰアドレスのデバイス、すなわち、地図上で選択されたデバイスアイコンに係るデバイスに送信する。この送信では、プロトコルとしてＩＰＰを用いる。
【００７２】
印刷Ｊｏｂを受信したデバイスは、その印刷ｊｏｂをハードディスク装置２３１１にスプールし、セキュア印刷ＩＤを生成する。セキュア印刷とは、当該デバイスの操作部を使用して所定のＩＤを入力することにより、印刷Ｊｏｂの実行が可能になる機能であり、本実施形態のように、印刷Ｊｏｂを送信するユーザが印刷デバイスから離れた場所にいるような状況下で、印刷Ｊｏｂが廃止されるのを防止するための機能である。
【００７３】
印刷Ｊｏｂを受信したデバイスは、生成したセキュア印刷ＩＤをサーバ装置１０１に通知し、サーバ装置１０１は、セキュア印刷ＩＤを携帯電話１０２に転送する。これにより、携帯電話１０２のユーザは、セキュア印刷ＩＤを認識し、当該デバイスが設置されている場所まで移動し、その操作部を使用してセキュア印刷ＩＤを入力することにより、スプールに係る印刷Ｊｏｂを実行させることができる。
【００７４】
なお、上記の説明では、デバイスの稼動状態の如何に拘わらず常にセキュア印刷ＩＤを発行することとしていたが、デバイスが印刷不可能な状態の場合だけセキュア印刷ＩＤを発行し、印刷可能な状態の場合には直ちに印刷を行うようにしてもよい。
【００７５】
以上説明したように、本実施形態では、サーバ装置は、携帯端末装置から印刷用デバイスの検索要求がなされると、当該携帯端末装置の現在位置の近くに存在する印刷用デバイスを検索し、当該携帯端末装置の現在位置を中心とする地図画像に対して、検索に係る印刷用デバイスの種類に対応するアイコンであってステータス情報が反映されたアイコンを当該印刷用デバイスの所在位置に配置すると共に、当該携帯端末装置用のアイコンもその現在位置に配置し、その地図画像をＷｅｂページとして公開しているので、携帯端末装置のユーザは、近くに存在する印刷用デバイスの種類、状態、現在位置からの距離を容易に把握することができる。
【００７６】
また、上記の地図画像はＷｅｂページとして提供されるため、汎用のコンピュータや携帯端末装置上で表示することが可能である。さらに、上記のアイコンにリンク機能を持たせることにより、所望のデバイスを容易に指定することが可能となる。
【００７７】
［第２の実施形態］
第１の実施形態では、デバイスのステータスを反映したデバイスアイコンは、サーバ装置１０１側で作成していたが、第２の実施形態では、デバイス側で作成している。
【００７８】
第２の実施形態では、各デバイス１０４〜１０６は、図１７に示したように、データベース３２を有している。なお、他の機能ブロックは、図４に示した第１の実施形態と同様なので、その説明は省略する。
【００７９】
図１７に示したデータベース３２には、当該デバイスを示すアイコンのイメージデータと、当該デバイスで発生し得る各種のステータを示すイメージデータが登録されている。
【００８０】
サーバ装置１０１は、携帯電話１０２から現在位置情報と共に、デバイス検索要求信号を受信すると、地図イメージデータを使用して、受信した携帯電話１０２の現在位置情報を５階層からなるＬｏｃａｔｉｏｎ情報に変換する。次に、サーバ装置１０１は、変換した携帯電話１０２のＬｏｃａｔｉｏｎ情報と、データベース１１に登録されているデバイスのＬｏｃａｔｉｏｎ情報とを下位層から照合していくことにより、携帯電話１０２の近辺に存在するデバイス１０４〜１０６を検索する。
【００８１】
次に、サーバ装置１０１は、携帯電話１０２の近辺に存在する検索に係るデバイス１０４〜１０６に対して、ＩＰＰのオペレーションであるＧｅｔ−ｐｒｉｎｔｅｒ−Ａｔｔｒｉｂｕｔｅｓオペレーションを発行し、且つデバイス属性要求パケットを送信する。
【００８２】
デバイスは、デバイス属性要求パケットを受信すると、自己のステータスを調査し、そのステータスに対応するイメージデータと、当該デバイスを示すデバイスアイコンのイメージデータとをデータベース３２から読み出し、これらイメージデータを合成する。そして、合成に係るデバイスアイコン、すなわちステータスを反映したデバイスアイコンのイメージデータをサーバ装置１０１に送信する。
【００８３】
サーバ装置１０１は、受信したデバイスアイコンを地図上に配置する。この際、サーバ装置１０１は、まず、携帯電話１０２の現在位置を中心とする地図イメージデータをデータベース１１から切り出し、携帯電話１０２を示すアイコン（図１２の符号１２００参照）を、切り出した地図イメージデータの中心に配置する。
【００８４】
次に、サーバ装置１０１は、検索した各デバイスの位置情報（Ｘ、Ｙ座標）に基づいて、図１３に示したように、上記の合成したデバイスアイコンを地図イメージデータ上の対応する位置に配置する（図１３の符号１２０１、１２０２、１２０３参照）。そして、ＨＴＭＬやＸＭＬを使用することにより、ステータスを反映したデバイスアイコンを配置した地図イメージデータに基づいてＷｅｂページ（ファイル）を生成し、インターネット１０３上に公開する。
【００８５】
なお、本発明は、上記の実施形態に限定されることなく、例えば、各デバイスが、当該デバイスを示すデバイスアイコンと、ステータスを示すアイコン及びキャラクタとを予め合成したデバイスアイコンを最初から保持しておくことも可能である。
【００８６】
なお、本発明の目的は、上記実施形態の機能を実現するソフトウェアのプログラムコードを記録した記憶媒体（または記録媒体）を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００８７】
この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００８８】
さらに、記憶媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。本発明を上記記憶媒体に適用する場合、その記憶媒体には、先に説明した機能に対応するプログラムコードが格納されることになる。
【００８９】
以下、本発明の要点を総括する。
【００９０】
［実施形態１］  サーバ装置と無線を介して通信可能な携帯端末装置から送信されたデータに基づいて画像形成装置により画像を形成する画像形成処理システムであって、前記サーバ装置は、
前記携帯端末装置からの要求に応じて、当該携帯端末装置の近辺に存在するネットワーク上の画像形成装置を検索する検索手段と、
前記検索手段により見つけられた画像形成装置の所在位置を示した地図画像を表示するための前記携帯端末により閲覧可能なデータを生成する生成手段と、
前記生成手段により生成されたデータを識別するための識別情報を前記携帯端末に対して通知する通知手段と、
前記識別情報が示すデータへのアクセス要求に対応して、前記生成手段により生成されたデータを前記携帯端末装置に向けて送信する送信手段とを有し、
前記地図画像の中で示されている画像形成装置の中から前記携帯端末装置において指定された画像形成装置により画像が形成されることを特徴とする画像形成処理システム。
【００９１】
［実施形態２］  前記携帯端末装置は、自己の現在位置を検知する検知手段と、前記サーバ装置に対して前記画像形成装置の検索を依頼する際に前記検知手段により検知された自己の現在位置を該サーバ装置に通知する通知手段とを有することを特徴とする実施形態１に記載の画像形成処理システム。
【００９２】
［実施形態３］  前記検索手段は、前記通知手段により通知された前記携帯端末装置の現在位置に基づいて、当該携帯端末装置の現在位置の近辺に存在する前記ネットワーク上の画像形成装置を検索することを特徴とする実施形態１又は２に記載の画像形成処理システム。
【００９３】
［実施形態４］  前記生成手段は、前記通知手段により通知された前記携帯端末装置の現在位置に基づいて、当該携帯端末装置の現在位置を中心とする地図画像情報を生成することを特徴とする実施形態１〜３の何れかに記載の画像形成処理システム。
【００９４】
［実施形態５］  前記生成手段は、前記検索手段により検索された画像形成装置を示すアイコンを前記地図画像情報上の該画像形成装置の所在位置に配置することを特徴とする実施形態１〜４の何れかに記載の画像形成処理システム。
【００９５】
［実施形態６］  前記アイコンは、前記検索手段により検索された画像形成装置の機能に応じて異なった形状のアイコンであることを特徴とする実施形態５に記載の画像形成処理システム。
【００９６】
［実施形態７］  前記アイコンは、前記検索手段により検索された画像形成装置の機能に応じて異なった形状であり、かつ該画像形成装置の現在のステータスを反映した形状のアイコンであることを特徴とする実施形態５又は６に記載の画像形成処理システム。
【００９７】
［実施形態８］  前記生成手段は、前記検索手段により検索された画像形成装置から該画像形成装置の現在のステータス情報を取得する取得手段を有し、前記取得手段により取得されたステータス情報に基づいて、該画像形成装置の現在のステータスを反映した形状のアイコンを前記地図画像情報上の該画像形成装置の所在位置に配置することを特徴とする実施形態１〜７の何れかに記載の画像形成処理システム。
【００９８】
［実施形態９］  前記生成手段は、前記ネットワーク上の各画像形成装置を示すアイコンであって該画像形成装置の機能に応じた形状のアイコンと、各画像形成装置で発生し得る各ステータスに応じた形状のアイコンとを記憶する記憶手段と、前記検索手段により検索された画像形成装置の機能に応じた形状のアイコンと、前記取得手段により取得されたステータス情報に対応する形状のアイコンとを前記記憶手段から読み出して合成する合成手段とを有し、前記合成手段により合成されたアイコンを前記地図画像情報上の該画像形成装置の所在位置に配置することを特徴とする実施形態１〜８の何れかに記載の画像形成処理システム。
【００９９】
［実施形態１０］  前記画像形成装置は、自装置を示すアイコンであって自装置の機能に応じた形状のアイコンと、自装置で発生し得る各ステータスに応じた形状のアイコンとを記憶する記憶手段と、前記機能に応じた形状のアイコンと、前記ステータスに対応する形状のアイコンとを前記記憶手段から読み出して合成する合成手段と、前記合成手段により合成されたアイコンを前記サーバ装置に送信する送信手段とを有し、前記生成手段は、前記送信手段により送信されたアイコンを前記地図画像情報上の該画像形成装置の所在位置に配置することを特徴とする実施形態１〜８の何れかに記載の画像形成処理システム。
【０１００】
［実施形態１１］  前記アイコンは、リンク情報として前記閲覧可能なデータ中に埋め込まれることを特徴とする実施形態１〜１０の何れかに記載の画像形成処理システム。
【０１０１】
［実施形態１２］  前記携帯端末装置は、前記通知手段により通知された前記閲覧可能なデータの識別情報に基づいて該データにアクセスして該携帯端末装置の表示部に表示させる表示制御手段と、前記表示制御手段により表示されたデータ中の所望する画像形成装置に対応するアイコンを選択することにより画像形成処理を実行させる画像形成装置を指定する指定手段とを有することを特徴とする実施形態１１に記載の画像形成処理システム。
【０１０２】
［実施形態１３］  前記生成手段は、前記携帯端末装置を示すアイコンを前記地図画像情報上の該携帯端末装置の現在位置に配置することを特徴とする実施形態１〜１２の何れかに記載の画像形成処理システム。
【０１０３】
［実施形態１４］  前記ステータスに係るアイコンは、前記画像形成装置の現在のステータスを示す文字情報を含むことを特徴とする実施形態７〜１３の何れかに記載の画像形成処理システム。
【０１０４】
［実施形態１５］  前記画像形成装置は、前記サーバ装置を介して前記携帯端末から送信されてきた画像形成処理ジョブに対して所定のコードを返信する返信手段と、前記返信手段により返信したコードが該画像形成装置の入力部から入力されることにより該画像形成処理ジョブを実行する実行制御手段とを有することを特徴とする実施形態１〜１４の何れかに記載の画像形成処理システム。
【０１０５】
［実施形態１６］  サーバ装置と無線を介して通信可能な携帯端末装置から送信されたデータに基づいて画像形成装置により画像を形成する画像形成処理方法であって、前記サーバ装置は、
前記携帯端末装置からの要求に応じて、当該携帯端末装置の近辺に存在するネットワーク上の画像形成装置を検索し、見つけられた画像形成装置の所在位置を示した地図画像を表示するための前記携帯端末により閲覧可能なデータを生成し、前記生成されたデータを識別するための識別情報を前記携帯端末に対して通知し、前記識別情報が示すデータへのアクセス要求に対応して、前記生成されたデータを前記携帯端末装置に向けて送信し、前記地図画像の中で示されている画像形成装置の中から前記携帯端末装置において指定された画像形成装置により画像が形成されるように構成したことを特徴とする画像形成処理方法。
【０１０６】
［実施形態１７］  サーバ装置と無線を介して通信可能な携帯端末装置から送信されたデータに基づいて画像形成装置により画像を形成する画像形成処理システム中の前記サーバ装置により実行される制御プログラムであって、
前記携帯端末装置からの要求に応じて、当該携帯端末装置の近辺に存在するネットワーク上の画像形成装置を検索し、見つけられた画像形成装置の所在位置を示した地図画像を表示するための前記携帯端末により閲覧可能なデータを生成し、生成されたデータを識別するための識別情報を前記携帯端末に対して通知し、前記識別情報が示すデータへのアクセス要求に対応して、前記生成されたデータを前記携帯端末装置に向けて送信し、前記地図画像の中で示されている画像形成装置の中から前記携帯端末装置において指定された画像形成装置により画像が形成される内容を有することを特徴とする制御プログラム。
【０１０７】
［実施形態１８］  サーバ装置と無線を介して通信可能な携帯端末装置から送信されたデータに基づいて画像形成装置により画像を形成する画像形成処理システムにおける前記サーバ装置であって、
前記携帯端末装置からの要求に応じて、当該携帯端末装置の近辺に存在するネットワーク上の画像形成装置を検索する検索手段と、
前記検索手段により見つけられた画像形成装置の所在位置を示した地図画像を表示するための前記携帯端末により閲覧可能なデータを生成する生成手段と、
前記生成手段により生成されたデータを識別するための識別情報を前記携帯端末に対して通知する通知手段と、
前記識別情報が示すデータへのアクセス要求に対応して、前記生成手段により生成されたデータを前記携帯端末装置に向けて送信する送信手段とを有し、
前記地図画像の中で示されている画像形成装置の中から前記携帯端末装置において指定された画像形成装置により画像が形成されることを特徴とするサーバ装置。
【０１０８】
【発明の効果】
以上説明したように、本発明によれば、画像形成処理を要求した携帯端末装置に対して、その携帯端末装置の近辺に存在する画像形成装置を判り易く提示し得る画像形成処理システムを提供することが可能となる。
【図面の簡単な説明】
【図１】本発明の実施形態における画像形成処理システム例を示すシステム構成図である。
【図２】サーバ装置のハードウェア構成を示すブロック図である。
【図３】画像形成装置のハードウェア構成を示すブロック図である。
【図４】本発明の第１の実施形態における画像形成処理システムの機能（ソフトウェア）を示す機能ブロック図である。
【図５】画像形成装置の位置情報の階層構造を示す図である。
【図６】画像形成装置の位置情報の構造を示す図である。
【図７】各画像形成装置の位置情報を登録したデータベースの構造を示す図である。
【図８】画像形成装置の機能及びステータスを示すアイコンを例示した図である（カラーＭＦＰの場合）。
【図９】画像形成装置の機能及びステータスを示すアイコンを例示した図である（モノクロプリンタの場合）。
【図１０】画像形成処理を実行させる画像形成装置の指定方法を選択するためのＧＵＩ画面例を示す図である。
【図１１】画像形成装置の検索を要求するための検索要求パケットの構造を示す図である。
【図１２】携帯端末装置の現在位置を中心とする地図画像例を示す図である。
【図１３】携帯端末装置の現在位置を中心とする地図画像上に画像形成装置の所在位置、機能、及びステータスを示すアイコンを配置した状態を示す図である。
【図１４】検索された各画像形成装置のＩＰアドレスと、これら画像形成装置のＩＤを対応付けて登録したデバイスＵＲＩ管理テーブルを示す図である。
【図１５】図１３の地図画像に基づいて生成したＷｅｂページのＵＲＩの構成を示す図である。
【図１６】サーバ装置から携帯電話に対して送信される印刷Ｊｏｂ要求パケットの構造を示す図である。
【図１７】本発明の第２の実施形態における画像形成処理システムの機能（ソフトウェア）を示す機能ブロック図である。
【符号の説明】
１１，３２：データベース
１２：検索モジュール
１３：属性登録モジュール
２１：検索要求モジュール
２２：表示モジュール
３１：属性・ステータス送信モジュール
１０１：サーバ装置
１０２：携帯端末装置
１０３：インターネット
１０４：カラープリンタ
１０５：カラーＭＦＰ
１０６：モノクロプリンタ
２０２，２３０２：ＣＰＵ
２０３，２３０３：ＲＯＭ
２０４，２３０４：ＲＡＭ
２１１，２３１１：ハードディスクドライブ
２１２，２３１２：フロッピー（登録商標）ディスクドライブ
【図１】
2004234218.tif 000003
【図２】
2004234218.tif 000004
【図３】
2004234218.tif 000005
【図４】
2004234218.tif 000006
【図５】
2004234218.tif 000007
【図６】
2004234218.tif 000008
【図７】
2004234218.tif 000009
【図８】
2004234218.tif 000010
【図９】
2004234218.tif 000011
【図１０】
2004234218.tif 000012
【図１１】
2004234218.tif 000013
【図１２】
2004234218.tif 000014
【図１３】
2004234218.tif 000015
【図１４】
2004234218.tif 000016
【図１５】
2004234218.tif 000017
【図１６】
2004234218.tif 000018
【図１７】
2004234218.tif 000019